【手続補正書】
【提出日】平成26年7月29日(2014.7.29)
【手続補正１】
【補正対象書類名】特許請求の範囲
【補正対象項目名】全文
【補正方法】変更
【補正の内容】
【特許請求の範囲】
【請求項１】
カメラアクセサリに設けられたアクセサリ側マウントが取り外し可能に結合されるカメラ側マウントを有するカメラであって、
前記カメラ側マウントは、複数のカメラ側バヨネット爪を有し、該複数のカメラ側バヨネット爪の間に前記アクセサリ側マウントに設けられたアクセサリ側バヨネット爪が挿入された第１の状態から前記アクセサリ側マウントと相対回転されることにより、前記カメラ側バヨネット爪と前記アクセサリ側バヨネット爪とが係合して前記アクセサリ側マウントとの結合を完了する第２の状態となり、
前記アクセサリ側マウントに設けられたアクセサリ側接点保持部は、前記アクセサリ側およびカメラ側マウントの相対回転方向に配置された複数のアクセサリ側接点面を保持し、
前記カメラ側マウントに設けられたカメラ側接点保持部は、前記相対回転方向に配置された複数のカメラ側接点ピンを突出引込み方向に移動可能に保持し、
前記第２の状態において、前記複数のカメラ側接点ピンと前記複数のアクセサリ側接点面とが接触することで該カメラと前記カメラアクセサリとが電気的に接続されるようになっており、
前記複数のカメラ側接点ピンのうち、前記第１の状態において前記アクセサリ側接点面を含む前記アクセサリ側接点保持部に当接するカメラ側接点ピンを第１のカメラ側接点ピンとし、前記第１の状態において前記アクセサリ側接点面を含む前記アクセサリ側接点保持部に当接しないカメラ側接点ピンを第２のカメラ側接点ピンとするとき、
前記第１のカメラ側接点ピンの径が、前記第２のカメラ側接点ピンの径よりも大きいことを特徴とするカメラ。
【請求項２】
前記第２のカメラ側接点ピンを複数有し、
前記相対回転方向において、前記第１のカメラ側接点ピンとこれに隣り合う前記第２のカメラ側接点ピンとの間のピッチが、互いに隣り合う前記第２のカメラ側接点ピン間のピッチよりも大きいことを特徴とする請求項１に記載のカメラ。
【請求項３】
前記複数のアクセサリ側接点面のうち、前記第２の状態において前記第１のカメラ側接点ピンと電気的に接続されるアクセサリ側接点面を第１のアクセサリ側接点面とし、それ以外の複数のアクセサリ側接点面を第２のアクセサリ側接点面とするとき、
前記第１のカメラ側接点ピンは、前記カメラ側マウントの前記第１の状態から前記第２の状態への前記アクセサリ側マウントとの相対回転中において、それぞれ複数の前記第２のカメラ側接点ピンおよび前記第２のアクセサリ側接点面のうち互いに対をなす特定の第２のカメラ側接点ピンと特定の第２のアクセサリ側接点面とが接触を開始するよりも早く又はそれと同時に前記第１のアクセサリ側接点面との接触を開始するように設けられていることを特徴とする請求項１又は２に記載のカメラ。
【請求項４】
前記相対回転方向において、前記第１のカメラ側接点ピンと前記特定の第２のカメラ側接点ピンとの間の距離が、前記第１のアクセサリ側接点面のうち前記相対回転中に前記第１のカメラ側接点ピンとの接触を開始する部分の位置と前記特定の第２のアクセサリ側接点面のうち前記相対回転中に前記特定の第２のカメラ側接点ピンとの接触を開始する部分の位置との間の距離より大きい又は該距離と同じであることを特徴とする請求項３に記載のカメラ。
【請求項５】
該カメラに装着された前記カメラアクセサリの種類の判定に用いる信号が前記第１のカメラ側接点ピンを介して前記カメラアクセサリから該カメラに入力されることを特徴とする請求項３又は４に記載のカメラ。
【請求項６】
該カメラに対する前記カメラアクセサリの装着の検出に用いる信号が前記特定の第２のカメラ側接点ピンを介して前記カメラアクセサリから該カメラに入力されることを特徴とする請求項３乃至５のいずれか１項に記載のカメラ。
【請求項７】
カメラに設けられたカメラ側マウントに対して取り外し可能に結合されるアクセサリ側マウントを有するカメラアクセサリであって、
前記アクセサリ側マウントは、アクセサリ側バヨネット爪を有し、該アクセサリ側バヨネット爪が前記カメラ側マウントに設けられた複数のカメラ側バヨネット爪の間に挿入された第１の状態から前記カメラ側マウントと相対回転されることにより、前記アクセサリ側バヨネット爪と前記カメラ側バヨネット爪とが係合して前記カメラ側マウントとの結合を完了する第２の状態となり、
前記アクセサリ側マウントに設けられたアクセサリ側接点保持部は、前記アクセサリ側およびカメラ側マウントの相対回転方向に配置された複数のアクセサリ側接点面を保持し、
前記カメラ側マウントに設けられたカメラ側接点保持部は、前記相対回転方向に配置された複数のカメラ側接点ピンを突出引込み方向に移動可能に保持し、
前記第２の状態において、前記複数のアクセサリ側接点面と前記複数のカメラ側接点ピンとが接触することで該カメラアクセサリと前記カメラとが電気的に接続されるようになっており、
前記複数のカメラ側接点ピンのうち、前記第１の状態において前記アクセサリ側接点面を含む前記アクセサリ側接点保持部に当接するカメラ側接点ピンを第１のカメラ側接点ピンとし、前記第１の状態において前記アクセサリ側接点面を含む前記アクセサリ側接点保持部に当接しないカメラ側接点ピンを第２のカメラ側接点ピンとするとき、
前記第１のカメラ側接点ピンの径が前記第２のカメラ側接点ピンの径よりも大きい前記カメラの前記カメラ側マウントに結合される前記アクセサリ側マウントを有することを特徴とするカメラアクセサリ。
【請求項８】
前記複数のアクセサリ側接点面のうち、前記第２の状態において前記第１のカメラ側接点ピンに接触するアクセサリ側接点面を第１のアクセサリ側接点面とし、前記第２の状態において前記第１のカメラ側接点ピンに接触しないアクセサリ側接点面を第２のアクセサリ側接点面とするとき、
前記第１のアクセサリ側接点面は、前記アクセサリ側マウントの前記第１の状態から前記第２の状態への前記カメラ側マウントとの相対回転中において、それぞれ複数の前記第２のアクセサリ側接点面および前記第２のカメラ側接点ピンのうち互いに対をなす特定の第２のアクセサリ側接点面と特定の第２のカメラ側接点ピンとが接触を開始するよりも早く又はそれと同時に前記第１のカメラ側接点ピンとの接触を開始するように設けられていることを特徴とする請求項７に記載のカメラアクセサリ。
【請求項９】
前記相対回転方向において、前記第１のアクセサリ側接点面のうち前記相対回転中に前記第１のカメラ側接点ピンとの接触を開始する部分の位置と前記特定の第２のアクセサリ側接点面のうち前記相対回転中に前記特定の第２のカメラ側接点ピンとの接触を開始する部分の位置との間の距離が、前記第１のカメラ側接点ピンと前記特定の第２のカメラ側接点ピンとの間の距離より小さい又は該距離と同じであることを特徴とする請求項８に記載のカメラアクセサリ。
【請求項１０】
前記第１のアクセサリ側接点面を介して、該カメラアクセサリの種類を示す信号を該カメラアクセサリから前記カメラに出力することを特徴とする請求項８又は９に記載のカメラアクセサリ。
【請求項１１】
前記特定の第２のアクセサリ側接点面を介して、前記カメラにおいて該カメラアクセサリの装着の検出に用いる信号を該カメラアクセサリから前記カメラに出力することを特徴とする請求項８乃至１０のいずれか１項に記載のカメラアクセサリ。
【手続補正２】
【補正対象書類名】明細書
【補正対象項目名】００９５
【補正方法】変更
【補正の内容】
【００９５】
なお、本実施例では、１つの第１のレンズ側接点パターンが設けられている場合について説明しているが、第１のレンズ側接点パターンを第１のカメラ側接点ピンとともに複数設けてもよい。この場合、図１０に示すように、第１のレンズ側接点パターン３０２ａｙとこれに隣り合う他の第１のレンズ側接点パターン３０２ａｙ’との間のピッチと間隔もそれぞれ、Ｐ２とＱ２に設定するとよい。また、互いに隣り合う第１および第２のレンズ側接点パターンに対応する第１および第２のカメラ側接点ピン間のピッチもＰ２に設定する。ただし、互いに隣り合う第１および第２のレンズ側接点パターン間のピッチと間隔は、互いに隣り合う２つの第１のレンズ側接点パターン間のピッチと間隔と必ずしも同じでなくてもよい。つまり、前者のピッチと間隔をＰ２ａとＱ２ａとし、後者のピッチと間隔をＰ２ｂとＱ２ｂとするとき、
Ｐ２ａ≠Ｐ２ｂ  （ただし、Ｐ１＜Ｐ２ａ）
Ｑ２ａ≠Ｑ２ｂ  （ただし、Ｑ１＜Ｑ２ａ）
であってもよい。この場合、互いに隣り合う第１のレンズ側接点パターン間のピッチと、互いに隣り合う第１および第２のカメラ側接点ピン間のピッチはそれぞれ、Ｐ２ａとＰ２ｂに設定される。
【手続補正３】
【補正対象書類名】明細書
【補正対象項目名】０１００
【補正方法】変更
【補正の内容】
【０１００】
また、上記実施例では、１つの第１のレンズ側接点パターンが設けられている場合について説明しているが、第１のレンズ側接点パターンを第１のカメラ側接点ピンとともに複数設けてもよい。この場合、図１０に示すように、第１のレンズ側接点パターン３０２ａｙとこれに隣り合う他の第１のレンズ側接点パターン３０２ａｙ’との間のピッチと間隔もそれぞれ、Ｐ２とＱ２に設定するとよい。また、互いに隣り合う第１および第２のレンズ側接点パターンに対応する第１および第２のカメラ側接点ピン間のピッチもＰ２に設定する。ただし、互いに隣り合う第１および第２のレンズ側接点パターン間のピッチと間隔は、互いに隣り合う２つの第１のレンズ側接点パターン間のピッチと間隔と必ずしも同じでなくてもよい。
【手続補正４】
【補正対象書類名】図面
【補正対象項目名】図１０
【補正方法】変更
【補正の内容】
【図１０】
2013214009.tif 000001